(57)【要約】【課題】建物の外観意匠性を向上させ、屋外から開口部への視線を遮るとともに開口部から屋内への採光及び通風を確保する。【解決手段】開口部５ａを有する建物本体２と、建物本体２から離間して設けられた支持壁Ｃとの間に設けられたフレームＢ５，Ｄ５に上下方向に等間隔に離間した状態で複数の羽板Ｂ６，Ｄ６を固定した建物１である。建物本体２と支持壁Ｃとの間にフレームＢ５，Ｄ５を設け、フレームＢ５，Ｄ５に複数の羽板Ｂ６，Ｄ６に等間隔に離間した状態で固定することで、建物本体２と支持壁Ｃとに一体感を与えて外観意匠性を向上させることができる。また、羽板Ｂ６，Ｄ６により屋外からの視線を遮るとともに、羽板Ｂ６，Ｄ６の隙間からの採光や通風を確保することができる。【選択図】図６
2008106515.tif 000002
【特許請求の範囲】
【請求項１】
開口部を有する建物本体と、
前記建物本体から離間して設けられた支持壁と、
前記建物本体と前記支持壁との間に設けられたフレームと、
上下方向に等間隔に離間した状態で前記フレームに固定された複数の羽板と、を備えることを特徴とする建物。
【請求項２】
前記建物本体と前記支持壁とを接続する梁材をさらに備えることを特徴とする請求項１に記載の建物。
【請求項３】
前記建物本体と前記支持壁との間に床部が設けられていることを特徴とする請求項１または２に記載の建物。
【請求項４】
前記建物本体と前記支持壁との対向面には前記フレームが取り付けられる壁付けブラケットが設けられていることを特徴とする請求項１〜３のいずれか一項に記載の建物。
【請求項５】
前記羽板は、前記建物本体の開口部と対向する位置に設けられていることを特徴とする請求項１〜４のいずれか一項に記載の建物。
【発明の詳細な説明】
【技術分野】
【０００１】
本発明は、開口部を有する建物本体の外側に設けられて、視線を遮りながら採光、通風を確保する通風壁を備える建物に関する。
【背景技術】
【０００２】
建物の外壁には、窓等の開口部が設けられる（特許文献１）。これらの開口部は、屋内への採光及び通風を確保して良好な居住環境を提供するとともに、それらの設置位置をまとまりのあるものにすることによって建物外観の意匠性を向上させることができる。
【特許文献１】特開平５−９８８１４号公報
【発明の開示】
【発明が解決しようとする課題】
【０００３】
しかしながら、建物に開口部を設けると、屋外からの視線を誘導し屋内を覗かれる恐れがあった。また、建物内において浴室やトイレ等の水廻りが配置される側では、開口部のずれが生じ易く、建物の外観を損ねる恐れがあった。
【０００４】
本発明の課題は、建物の外観意匠性を向上させ、屋外から開口部への視線を遮るとともに開口部から屋内への採光及び通風を確保することである。
【課題を解決するための手段】
【０００５】
以上の課題を解決するため、請求項１に記載の発明は、図１に示すように、開口部(例えば、折れ戸５ａ)を有する建物本体２と、前記建物本体２から離間して設けられた支持壁Ｃと、前記建物本体２と前記支持壁Ｃとの間に設けられたフレームＢ５，Ｄ５と、上下方向に等間隔に離間した状態で前記フレームＢ５，Ｄ５に固定された複数の羽板Ｂ６，Ｄ６と、を備えることを特徴とする建物１である。
【０００６】
請求項１に記載の発明によれば、建物本体２と支持壁Ｃとの間にフレームＢ５，Ｄ５を設け、フレームＢ５，Ｄ５に複数の羽板Ｂ６，Ｄ６に等間隔に離間した状態で固定することで、建物本体２と支持壁Ｃとに一体感を与えて外観意匠性を向上させることができる。
また、羽板Ｂ６，Ｄ６により屋外からの視線を遮るとともに、羽板Ｂ６，Ｄ６の隙間からの採光や通風を確保することができる。
【０００７】
請求項２に記載の発明は、請求項１に記載の建物１において、前記建物本体２と前記支持壁Ｃとを接続する梁材(例えば、上梁材Ｂ１，Ｄ１及び下梁材Ｂ２，Ｄ２)をさらに備えることを特徴とする。
【０００８】
請求項２に記載の発明によれば、建物本体２と支持壁Ｃとを接続する梁材をさらに備えるので、支持壁Ｃを安定させ建物１の強度を向上させることができる。
【０００９】
請求項３に記載の発明は、請求項１または２に記載の建物１において、前記建物本体２と前記支持壁Ｃとの間に床部５ｂが設けられていることを特徴とする。
【００１０】
請求項３に記載の発明によれば、建物本体２と支持壁Ｃとの間に床部５ｂが設けられているため、この床部５ｂをバルコニーやフラワーボックスの床として利用でき、しかも、支持壁Ｃ及び羽板Ｂ６，Ｄ６によって外部からバルコニーへの視線を遮ることができる。
【００１１】
請求項４に記載の発明は、請求項１〜３のいずれか一項に記載の建物１において、前記建物本体２と前記支持壁Ｃとの対向面には前記フレームＢ５，Ｄ５が取り付けられる壁付けブラケットＢ３，Ｄ３が設けられていることを特徴とする。
【００１２】
請求項４に記載の発明によれば、建物本体２と支持壁Ｃとの対向面に壁付けブラケットＢ３，Ｄ３が設けられているので、フレームＢ５，Ｄ５を建物本体２と支持壁Ｃとの間に容易に取り付けることができる。
【００１３】
請求項５に記載の発明は、請求項１〜４のいずれか一項に記載の建物１において、前記羽板Ｄ６は、前記建物本体２の開口部(例えば、折れ戸５ａ)と対向する位置に設けられていることを特徴とする。
【００１４】
請求項５に記載の発明によれば、羽板Ｄ６が、建物本体２の開口部と対向する位置に設けられているため、羽板Ｄ６により屋外から開口部への視線を遮るとともに、屋内への採光及び通風を確保することができる。
【発明の効果】
【００１５】
本発明によれば、建物の外観に一体感を与えて外観意匠性を向上させることができる。また、屋外から開口部への視線を遮るとともに屋内への採光及び通風を確保することができる。
【発明を実施するための最良の形態】
【００１６】
以下、図を参照して本発明の実施の形態に係る建物１について詳細に説明する。
図１は、建物本体２の外壁面３から離間させて被覆壁Ｗを設けてなる建物１を示す斜視図であり、図２は、建物１の２階の間取り図である。なお、本発明の実施の形態に係る建物１は、壁や床、屋根といった建物の構成要素を予め工場にてパネル化しておき、施工現場でこれらのパネルを組み立てて構築するパネル工法で構築される。
【００１７】
図１に示すように、建物本体２には、１階の正面角部に玄関ポーチ４が形成されている。また、２階の正面角部には折れ戸５ａが設けられており、この折れ戸５ａから玄関ポーチ４の上に床部５ｂが張り出され、バルコニー５を形成している。このバルコニー５は、建物本体２の外壁面３よりも張り出している。
【００１８】
また、建物本体２には、２階のリビング６の正面側に腰窓６ａ及び高窓６ｂがそれぞれ設けられ、１階と２階とを繋ぐ階段７に対向した外壁面３に採光用窓７ａが設けられている。
【００１９】
また、建物本体２には、腰窓６ａ及び高窓６ｂの外側に腰窓６ａを覆うように第１被覆壁Ａが設けられ、第１被覆壁Ａには、この腰窓６ａに対応する位置に嵌め殺し窓Ａ８が形成されている。この第１被覆壁Ａの上端は建物本体２の高窓６ｂの下方に位置しており、第１被覆壁Ａの上端部には笠木Ａ１０が取り付けられている。また、第１被覆壁Ａの下端は玄関ポーチ４の軒先よりも上部に位置している。
【００２０】
図２に示すように、第１被覆壁Ａには、建物本体２の外壁面３に当接する突出部Ａ１２〜Ａ１４が建物本体２の腰窓６ａの両側及びバルコニー５側に設けられている。これらの突出部Ａ１２〜Ａ１４は、第１被覆壁Ａと垂直かつ上下方向に延在して設けられており、第１被覆壁Ａはこれらの突出部Ａ１２〜Ａ１４を介して建物本体２に取り付けられている。
【００２１】
また、建物本体２には、採光用窓７ａの外側に採光用窓７ａを覆うように第２被覆壁Ｅが設けられている。第２被覆壁Ｅは、下部を地中に埋め込まれた基礎の上に立設されており、採光用窓７ａに対応する位置に嵌め殺し窓Ｅ２が形成されている。また、第２被覆壁Ｅの上端部には第１被覆壁Ａと同様の笠木Ｅ１が設けられている。笠置Ｅ１は笠置Ａ１０と同じ高さとなるように設けられている。
【００２２】
図２に示すように、第２被覆壁Ｅには第１被覆壁Ａと同様に突出部Ｅ３，Ｅ４が採光用窓７ａの両側に設けられている。これらの突出部Ｅ３，Ｅ４は、第２被覆壁Ｅと垂直かつ上下方向に延在して設けられており、第２被覆壁Ｅはこれらの突出部Ｅ３，Ｅ４を介して建物本体２に取り付けられている。
【００２３】
図１，図２に示すように、支持壁Ｃは、建物本体２の第１被覆壁Ａ及び第２被覆壁Ｅから離間し、バルコニー５及び玄関ポーチ４に近接して設けられている。支持壁Ｃは下部を地中に埋め込まれた基礎の上に平面視矩形状に壁パネルを立設してなり、上梁材Ｂ１及び下梁材Ｂ２により第１被覆壁Ａと、上梁材Ｄ１及び下梁材Ｄ２により第２被覆壁Ｅと連結されている。
なお、下梁材Ｂ２，Ｄ２は床部５ｂと一体に形成され、バルコニー５の立ち上がり部となっている。
【００２４】
支持壁Ｃの上端部には第１被覆壁Ａ及び第２被覆壁Ｅと同様の笠木Ｃ１が設けられている。笠置Ｃ１は笠置Ａ１０，Ｅ１と同じ高さとなるように設けられている。
【００２５】
図１に示すように、第１被覆壁Ａと支持壁Ｃとの間には、第１ルーバー壁Ｂが設けられている。この第１通風壁Ｂは、正面視矩形であり、上下方向に等間隔に離間して固定された複数の羽板Ｂ６を備える。後述するように、羽板Ｂ６は、第１被覆壁Ａと支持壁Ｃとの間に設けられたフレームＢ５に固定されている。
図１に示すように、第１通風壁Ｂの上下両端は隣接する第１被覆壁Ａと同高さに位置している。
【００２６】
図１に示すように、支持壁Ｃと第２被覆壁Ｅとの間には、第２通風壁Ｄが設けられている。この第２通風壁Ｄは、正面視矩形であり、第１通風壁Ｂと同様に、上下方向に等間隔に離間して固定された複数の羽板Ｄ６を備え、これらの羽板Ｄ６は、支持壁Ｃと第２被覆壁Ｅとの間に設けられたフレームＤ５に固定されている。また、第２通風壁Ｄの上端は支持壁Ｃと同高さに位置するとともに、下端は地面付近に位置している。
【００２７】
次に、以上のように構成される建物１の施工手順について説明する。
まず、建物本体２をパネル工法等で組み立てる。
次に、図３に示すように、支持壁Ｃを組み立てるとともに、バルコニー５となる床部５ｂを構築し、さらに第１被覆壁Ａと支持壁Ｃとを上梁材Ｂ１及び下梁材Ｂ２で、支持壁Ｃと第２被覆壁Ｅとを上梁材Ｄ１及び下梁材Ｄ２で連結する。
【００２８】
その後、第１被覆壁Ａと支持壁Ｃとの間、及び支持壁Ｃと第２被覆壁Ｅとの間に、羽板Ｂ６，Ｄ６を固定し、第１通風壁Ｂ，第２通風壁Ｄを構築する。
【００２９】
ここで、第１通風壁Ｂの構築方法について図３〜図６を用いて説明する。
まず、図３に示すように、第１被覆壁Ａ及び支持壁Ｃとなる壁パネルの対向面に、壁付けブラケットＢ３を取り付ける。次に、壁付けブラケットＢ３の基部が埋め込まれるように壁パネルの外側に外壁を施工する。その後、図４に示すように、最下部の壁付けブラケットＢ３にブラケットジョイントＢ４を取り付ける。
【００３０】
次に、図５に示すように、ブラケットジョイントＢ４にフレームＢ５を載せ、他の壁付けブラケットＢ３及びブラケットジョイントＢ４にフレームＢ５を固定する。そして、他の壁付けブラケットＢ３とフレームＢ５とをブラケットジョイント（図示せず）で固定する。
最後に、上下方向に等間隔となるように羽板Ｂ６をフレームＢ５に取り付けることで、図６に示すように、第１通風壁Ｂが完成する。
【００３１】
次に、第２通風壁Ｄの構築方法について図７〜図１０を用いて説明する。
まず、図７に示すように、支持壁Ｃ及び第２被覆壁Ｅとなる壁パネルの対向面に、壁付けブラケットＤ３を取り付ける。次に、壁付けブラケットＤ３の基部が埋め込まれるように壁パネルの外側に外壁を施工する。その後、図８に示すように、最下部の壁付けブラケットＤ３にブラケットジョイントＤ４を取り付ける。
【００３２】
次に、図９に示すように、ブラケットジョイントＤ４にフレームＤ５を載せ、ブラケットジョイントＤ４にフレームＤ５を固定する。そして、他の壁付けブラケットＤ３とフレームＤ５とをブラケットジョイント（図示せず）で固定する。
最後に、上下方向に等間隔となるように羽板Ｄ６をフレームＤ５に取り付けることで、図１０に示すように、第２通風壁Ｄが完成する。
【００３３】
以上の実施形態によれば、開口部５ａを有する建物本体２と、建物本体２から離間して設けられた支持壁Ｃとの間にフレームＢ５，Ｄ５を設け、フレームＢ５，Ｄ５に複数の羽板Ｂ６，Ｄ６に等間隔に離間した状態で固定することで第１通風壁Ｂ及び第２通風壁Ｄが構築されるので、建物本体２と支持壁Ｃとに一体感を与えて外観意匠性を向上させることができる。また、羽板Ｂ６，Ｄ６により屋外から折れ戸５ａへの視線を遮るとともに、羽板Ｂ６，Ｄ６の隙間からの採光や通風を確保することができる。
【００３４】
また、建物本体２と支持壁Ｃとを接続する梁材をさらに備えるので、支持壁Ｃを安定させ建物１の強度を向上させることができる。
【００３５】
さらに、建物本体２と支持壁Ｃとの間に床部５ｂが設けられているため、この床部５ｂをバルコニーやフラワーボックスの床として利用でき、しかも、支持壁Ｃ及び羽板Ｂ６，Ｄ６によって外部からバルコニーへの視線を遮ることができる。
【００３６】
また、建物本体２と支持壁Ｃとの対向面に壁付けブラケットＢ３，Ｄ３が設けられているので、フレームＢ５，Ｄ５を建物本体２と支持壁Ｃとの間に容易に取り付けることができる。
【００３７】
また、羽板Ｄ６が、建物本体２の開口部と対向する位置に設けられているため、羽板Ｄ６により屋外から開口部への視線を遮るとともに、屋内への採光及び通風を確保することができる。
【００３８】
なお、以上の実施形態においては、第１通風壁Ｂ及び第２通風壁Ｄの複数の羽板Ｂ６，Ｄ６を横方向に配置されるものとしたが、本発明はこれに限定されるものではなく、垂直方向や斜め方向に配置しても良く、またこれらを用いて格子状にしても良い。
【００３９】
また、以上の実施形態においては、上梁材Ｂ１，Ｄ１及び下梁材Ｂ２，Ｄ２と、フレームＢ５，Ｄ５とが水平方向に離間していたが、フレームＢ５，Ｄ５を上梁材Ｂ１，Ｄ１及び下梁材Ｂ２，Ｄ２と隣接させて配置してもよい。
【００４０】
また、以上の実施の形態においては、パネル工法で構築される建物について説明したが、本発明は、従来の軸組工法、壁式工法、ツーバイフォー工法といった木造の建物にも適用することができる。
【図面の簡単な説明】
【００４１】
【図１】本発明に係る建物を示す斜視図である。
【図２】本発明に係る建物の二階を示す平面図である。
【図３】第１通風壁Ｂの構築方法を示す斜視図である。
【図４】第１通風壁Ｂの構築方法を示す斜視図である。
【図５】第１通風壁Ｂの構築方法を示す斜視図である。
【図６】第１通風壁Ｂの構築方法を示す斜視図である。
【図７】第２通風壁Ｄの構築方法を示す斜視図である。
【図８】第２通風壁Ｄの構築方法を示す斜視図である。
【図９】第２通風壁Ｄの構築方法を示す斜視図である。
【図１０】第２通風壁Ｄの構築方法を示す斜視図である。
【符号の説明】
【００４２】
１  建物
２     建物本体
５ｂ   床部
５ａ   折れ戸
Ａ     第１被覆壁（建物本体）
Ｂ     第１通風壁
Ｂ１，Ｄ１    上梁材
Ｂ２，Ｄ２    下梁材
Ｂ３，Ｄ３    壁付けブラケット
Ｂ５，Ｄ５    フレーム
Ｂ６，Ｄ６    羽板
Ｃ     支持壁
Ｄ     第２通風壁
Ｅ     第２被覆壁（建物本体）
【図１】
2008106515.tif 000003
【図２】
2008106515.tif 000004
【図３】
2008106515.tif 000005
【図４】
2008106515.tif 000006
【図５】
2008106515.tif 000007
【図６】
2008106515.tif 000008
【図７】
2008106515.tif 000009
【図８】
2008106515.tif 000010
【図９】
2008106515.tif 000011
【図１０】
2008106515.tif 000012